(57)【要約】【課題】アクセスポイントの管理の容易化を図ること。【解決手段】情報処理装置１０１は、所定の地域の地図情報と対応付けて、所定の地域内の拠点の位置を示す位置情報を記憶する第１の記憶部１１０を参照して、所定の地域の地図情報上に拠点をあらわす第１の画像を表示する。情報処理装置１０１は、所定の地域の地図情報上に表示したいずれかの第１の画像が選択されたことに応じて、所定の地域内の拠点と対応付けて、拠点の地図情報と、拠点内のアクセスポイントの設置位置を示す位置情報とを記憶する第２の記憶部１２０から、選択された第１の画像があらわす拠点の地図情報を取得する。情報処理装置１０１は、第２の記憶部１２０を参照して、取得した拠点の地図情報上にアクセスポイントをあらわす第２の画像を表示する。【選択図】図１
2019009655.tif 000002
【特許請求の範囲】
【請求項１】
第１の地図情報と対応付けて、拠点の位置を示す位置情報を記憶する第１の記憶部を参照して、前記第１の地図情報上に前記拠点をあらわす第１の画像を表示し、
前記第１の地図情報上に表示したいずれかの第１の画像が選択されたことに応じて、選択された第１の画像に対応する拠点を特定し、
前記拠点と対応付けて、第２の地図情報と、前記拠点内のアクセスポイントの設置位置を示す位置情報とを記憶する第２の記憶部を参照して、特定された前記拠点に対応する第２の地図情報を取得し、
前記第２の記憶部を参照して、取得した前記第２の地図情報上に前記アクセスポイントをあらわす第２の画像を表示する、
処理をコンピュータに実行させることを特徴とする表示制御プログラム。
【請求項２】
前記コンピュータに、
前記第２の地図情報上に表示したいずれかの第２の画像に対する所定の操作を検出したことに応じて、前記拠点と対応付けて、前記拠点内のアクセスポイントの接続状況を示す情報を記憶する第３の記憶部を参照して、前記第２の画像があらわすアクセスポイントの接続状況を表示する、処理を実行させることを特徴とする請求項１に記載の表示制御プログラム。
【請求項３】
前記コンピュータに、
前記第１の地図情報上に表示したいずれかの第１の画像に対する所定の操作を検出したことに応じて、前記拠点と対応付けて、前記拠点内のアクセスポイントの接続状況を示す情報を記憶する第３の記憶部を参照して、前記第１の画像があらわす拠点内のアクセスポイントの接続状況を表示する、処理を実行させることを特徴とする請求項１または２に記載の表示制御プログラム。
【請求項４】
前記第３の記憶部は、前記拠点と対応付けて、前記拠点内のアクセスポイントの接続状況の時系列変化を示す情報を記憶しており、
前記コンピュータに、
前記拠点内のアクセスポイントの接続状況に関する統計情報の表示要求を受け付けたことに応じて、前記第３の記憶部を参照して、前記拠点内のアクセスポイントの接続状況の時系列変化を示す情報をグラフ形式または表形式で表示する、処理を実行させることを特徴とする請求項２または３に記載の表示制御プログラム。
【請求項５】
前記第２の画像を表示する処理は、
アクセスポイントの送信電力と電波到達距離とを対応付けて記憶する第４の記憶部を参照して、前記第２の地図情報上に表示した前記アクセスポイントをあらわす第２の画像と対応付けて、前記アクセスポイントの送信電力に応じた電波範囲をあらわす第３の画像をさらに表示する、ことを特徴とする請求項１〜４のいずれか一つに記載の表示制御プログラム。
【請求項６】
前記第１の地図情報は、前記第１の記憶部に記憶される拠点の位置を含む地図情報であり、
前記第２の地図情報は、前記第２の記憶部で該地図情報に対応付けられるアクセスポイントの位置を含む地図情報である、ことを特徴とする請求項１〜５のいずれか一つに記載の表示制御プログラム。
【請求項７】
第１の地図情報と対応付けて、拠点の位置を示す位置情報を記憶する第１の記憶部を参照して、前記第１の地図情報上に前記拠点をあらわす第１の画像を表示し、
前記第１の地図情報上に表示したいずれかの第１の画像が選択されたことに応じて、選択された第１の画像に対応する拠点を特定し、前記拠点と対応付けて、第２の地図情報と、前記拠点内のアクセスポイントの設置位置を示す位置情報とを記憶する第２の記憶部を参照して、特定された前記拠点に対応する第２の地図情報を取得し、
前記第２の記憶部を参照して、取得した前記第２の地図情報上に前記アクセスポイントをあらわす第２の画像を表示する、
処理をコンピュータが実行することを特徴とする表示制御方法。
【請求項８】
第１の地図情報と対応付けて、拠点の位置を示す位置情報を記憶する第１の記憶部と、
拠点と対応付けて、第２の地図情報と、前記拠点内のアクセスポイントの設置位置を示す位置情報とを記憶する第２の記憶部と、
前記第１の記憶部を参照して、前記第１の地図情報上に前記拠点をあらわす第１の画像を表示し、前記第１の地図情報上に表示したいずれかの第１の画像が選択されたことに応じて、選択された第１の画像に対応する拠点を特定し、前記第２の記憶部を参照して、特定された前記拠点に対応する第２の地図情報を取得し、前記第２の記憶部を参照して、取得した前記第２の地図情報上に前記アクセスポイントをあらわす第２の画像を表示する制御部と、
を有することを特徴とする情報処理装置。
【発明の詳細な説明】
【技術分野】
【０００１】
本発明は、表示制御プログラム、表示制御方法、および情報処理装置に関する。
【背景技術】
【０００２】
近年、無線ＬＡＮ（Ｌｏｃａｌ  Ａｒｅａ  Ｎｅｔｗｏｒｋ）に接続する通信機能を搭載したスマートフォンやタブレットなどの端末装置が普及したことにより、通信手段として無線ＬＡＮを利用する者が増えている。一方、無線ＬＡＮに接続する端末数が増えると、通信速度が落ちて通信品質が低下する。このため、無線ＬＡＮを利用した通信サービスを提供する場合には、無線ＬＡＮのアクセスポイントの設置状況や接続状況等を把握して管理することは重要である。
【０００３】
先行技術としては、例えば、災害設定が有効になっているアクセスポイントの各々から端末の接続数を取得し、表示要求を取得すると、当該表示要求により要求された表示方法に対応して選択した範囲の接続数を、表示要求の要求元へ提供するものがある。
【先行技術文献】
【特許文献】
【０００４】
【特許文献１】特開２０１７−４６０６１号公報
【発明の概要】
【発明が解決しようとする課題】
【０００５】
しかしながら、従来技術では、アクセスポイントの設置状況を示す地図情報に対して、アクセスポイントの位置が適切に分散している場合には、アクセスポイントを特定しやすいものの、地図情報に対して、アクセスポイントの位置が一部の地点に集中している場合には、管理したいアクセスポイントを特定するのが困難なものとなる場合がある。
【０００６】
一つの側面では、本発明は、アクセスポイントの管理の容易化を図ることを目的とする。
【課題を解決するための手段】
【０００７】
１つの実施態様では、第１の地図情報と対応付けて、拠点の位置を示す位置情報を記憶する第１の記憶部を参照して、前記第１の地図情報上に前記拠点をあらわす第１の画像を表示し、前記第１の地図情報上に表示したいずれかの第１の画像が選択されたことに応じて、選択された第１の画像に対応する拠点を特定し、前記拠点と対応付けて、第２の地図情報と、前記拠点内のアクセスポイントの設置位置を示す位置情報とを記憶する第２の記憶部を参照して、特定された前記拠点に対応する第２の地図情報を取得し、前記第２の記憶部を参照して、取得した前記第２の地図情報上に前記アクセスポイントをあらわす第２の画像を表示する、表示制御プログラムが提供される。
【発明の効果】
【０００８】
本発明の一側面によれば、アクセスポイントの管理の容易化を図ることができる。
【図面の簡単な説明】
【０００９】
【図１】図１は、実施の形態にかかる表示制御方法の一実施例を示す説明図である。
【図２】図２は、通信システム２００のシステム構成例を示す説明図である。
【図３】図３は、情報処理装置１０１のハードウェア構成例を示すブロック図である。
【図４】図４は、端末装置Ｔｉのハードウェア構成例を示すブロック図である。
【図５】図５は、画像管理テーブル２２０の記憶内容の一例を示す説明図である。
【図６】図６は、拠点管理テーブル２３０の記憶内容の一例を示す説明図である。
【図７】図７は、装置管理テーブル２４０の記憶内容の一例を示す説明図である。
【図８】図８は、接続状況管理テーブル２５０の記憶内容の一例を示す説明図である。
【図９】図９は、電波範囲テーブル２６０の記憶内容の一例を示す説明図である。
【図１０】図１０は、情報処理装置１０１の機能的構成例を示すブロック図である。
【図１１】図１１は、全体地図画像ＥＭの表示例を示す説明図である。
【図１２】図１２は、拠点地図画像ＢＭの表示例を示す説明図である。
【図１３】図１３は、拠点Ｂ内のアクセスポイントＡＰｊの接続状況に関する統計情報の表示例を示す説明図（その１）である。
【図１４】図１４は、拠点Ｂ内のアクセスポイントＡＰｊの接続状況に関する統計情報の表示例を示す説明図（その２）である。
【図１５】図１５は、拠点Ｂ内のアクセスポイントＡＰｊの送信電力に応じた電波範囲をあらわす電波範囲画像ｅの表示例を示す説明図である。
【図１６】図１６は、情報処理装置１０１の表示制御処理手順の一例を示すフローチャート（その１）である。
【図１７】図１７は、情報処理装置１０１の表示制御処理手順の一例を示すフローチャート（その２）である。
【図１８】図１８は、情報処理装置１０１の表示制御処理手順の一例を示すフローチャート（その３）である。
【発明を実施するための形態】
【００１０】
以下に図面を参照して、本発明にかかる表示制御プログラム、表示制御方法、および情報処理装置の実施の形態を詳細に説明する。
【００１１】
（実施の形態）
図１は、実施の形態にかかる表示制御方法の一実施例を示す説明図である。図１において、情報処理装置１０１は、第１の記憶部１１０および第２の記憶部１２０を有し、所定の地域の地図情報の表示を制御するコンピュータである。
【００１２】
なお、ネットワークの管理を行う管理会社と、ネットワークの工事を行う工事会社とが同じ会社である場合には、地図情報にネットワーク構成図を用いるため、管理を行うネットワーク機器が図面の一部に集中することなく、適切に分散して配置することが可能となる。一方で、ネットワークの管理を行う管理者が工事会社とは異なる場合に、ネットワーク構成図では、ネットワーク機器を認識することが困難であり、管理者が把握しやすい地図を用いることが望ましい。
【００１３】
よって、地図情報として用いる所定の地域は、ネットワーク構成図のような論理的な図ではなく、管理者が認識可能な地域の地図であることが望ましい。例えば、所定の地域は、日本全体であってもよいし、各都道府県や各市区町村、あるいは、その一部の地域であってもよい。また、所定の地域は、複数の国や地域を含むものであってもよい。
【００１４】
ここで、無線ＬＡＮ等を利用した通信サービスを提供する場合、無線ＬＡＮ等のアクセスポイントの設置状況や接続状況等を把握して管理することは重要である。一方で、各地に設置されたアクセスポイントの状況（例えば、設置状況や接続状況等）を適切に把握できず、アクセスポイントの管理が困難なものとなる場合がある。
【００１５】
例えば、所定の地域に設置されたアクセスポイントを管理するにあたり、管理対象となるアクセスポイントの数が多くなると、アクセスポイントの状況を把握することが難しくなる。このため、例えば、所定の地域の地図上に、管理対象となるアクセスポイントのアイコンを表示して、各アクセスポイントの状況を特定可能にすることが考えられる。ところが、管理対象となるアクセスポイントの数が多くなると、地図上の表示が煩雑なものとなり、依然としてアクセスポイントの状況を把握することが難しい。
【００１６】
また、複数のアクセスポイントの階層関係や設置場所などに基づきネットワーク図のようなものを作成して管理することも考えられる。ところが、専門的な知識を有していない者にとっては、ネットワーク図があらわす情報を理解できず、アクセスポイントの状況を適切に把握できないことがある。
【００１７】
そこで、本実施の形態では、各地に設置されるアクセスポイントの状況（例えば、設置状況や接続状況等）を把握しやすくさせて、アクセスポイントの管理の容易化を図る表示制御方法について説明する。以下、情報処理装置１０１の表示制御処理例について説明する。ここでは、地域ＸＸに設置されたアクセスポイントを管理する場合を想定する。
【００１８】
（１）情報処理装置１０１は、第１の記憶部１１０を参照して、所定の地域の地図情報上に拠点をあらわす第１の画像を表示する。ここで、第１の記憶部１１０は、所定の地域の地図情報と対応付けて、所定の地域内の拠点の位置を示す位置情報を記憶する。所定の地域の地図情報は、所定の地域を一定の割合で縮小して平面上にあらわした画像データである。所定の地域の地図情報は、第１の記憶部１１０に記憶される拠点の位置を含む地図情報である。
【００１９】
拠点とは、１以上のアクセスポイントが設置される場所であり、例えば、学校、施設、事業所、工場などの通信サービスの利用者が集まる場所である。第１の画像は、所定の地域の地図情報上の拠点の位置を特定可能に表示されるものである。第１の画像としては、図形や記号などの任意の画像を用いることができる。
【００２０】
図１の例では、地域ＸＸの地図情報１４０（全体地図）が表示画面１３０に表示されている。また、地域ＸＸの地図情報１４０上に、地域ＸＸ内の各拠点をあらわす第１の画像１４１〜１４３が表示されている。なお、表示画面１３０は、情報処理装置１０１が有していてもよく、また、情報処理装置１０１に接続された他のコンピュータが有していてもよい。
【００２１】
（２）情報処理装置１０１は、所定の地域の地図情報上に表示したいずれかの第１の画像が選択されたことに応じて、選択された第１の画像に対応する拠点を特定し、第２の記憶部１２０から、特定された拠点に対応する地図情報を取得する。ここで、第２の記憶部１２０は、所定の地域内の拠点と対応付けて、拠点の地図情報と、拠点内のアクセスポイントの設置位置を示す位置情報とを記憶する。拠点の地図情報は、拠点を一定の割合で縮小して平面上にあらわした画像データである。拠点の地図情報は、第２の記憶部１２０で該地図情報に対応付けられるアクセスポイントの位置を含む地図情報である。
【００２２】
図１の例では、ユーザの操作入力により、地域ＸＸの地図情報１４０上に表示された第１の画像１４３が選択された結果、第１の画像１４３があらわす拠点Ｃの地図情報１５０が取得された場合を想定する。ユーザは、例えば、地域ＸＸに設置されたアクセスポイントを管理する管理者である。
【００２３】
（３）情報処理装置１０１は、第２の記憶部１２０を参照して、取得した拠点の地図情報上にアクセスポイントをあらわす第２の画像を表示する。ここで、第２の画像は、拠点の地図情報上のアクセスポイントの位置を特定可能に表示されるものである。第２の画像としては、図形や記号などの任意の画像を用いることができる。
【００２４】
図１の例では、拠点Ｃの地図情報１５０が表示画面１３０に表示されている。また、拠点Ｃの地図情報１５０上に、拠点Ｃ内の各アクセスポイントをあらわす第２の画像１５１〜１５５が表示されている。
【００２５】
このように、情報処理装置１０１によれば、所定の地域の地図情報上に拠点をあらわす第１の画像を表示することができる。これにより、ユーザは、所定の地域内の拠点の位置を直感的に把握することができる。また、所定の地域の地図情報上に、アクセスポイントをあらわす第２の画像は表示されないため、管理対象となるアクセスポイントの数が多くなっても、地図情報上の表示が煩雑なものとなることを防ぐことができる。図１の例では、ユーザは、地域ＸＸ内の各拠点Ａ，Ｂ，Ｃの位置を直感的に把握することができる。
【００２６】
また、情報処理装置１０１によれば、所定の地域の地図情報上に表示したいずれかの第１の画像が選択されたことに応じて、選択された第１の画像があらわす拠点の地図情報を取得し、取得した拠点の地図情報上にアクセスポイントをあらわす第２の画像を表示することができる。
【００２７】
これにより、ユーザは、所定の地域内の任意の拠点をピックアップして、その拠点内の各アクセスポイントの設置位置を直感的に把握することができる。図１の例では、ユーザは、地域ＸＸ内の拠点Ｃをピックアップして、拠点Ｃ内の各アクセスポイントの設置位置を直感的に把握することができる。この際、ユーザは、地域ＸＸの地図情報１４０上の第１の画像１４３を選択するという簡単な操作によって、地域ＸＸ（広域）から拠点Ｃ（狭域）に地図表示を切り替えることができる。
【００２８】
これらのことから、情報処理装置１０１によれば、所定の地域内の各拠点に設置されるアクセスポイントの設置状況を把握しやすくさせて、アクセスポイントの管理の容易化を図ることができる。
【００２９】
（通信システム２００のシステム構成例）
以下、図１に示した情報処理装置１０１を通信システム２００に適用した場合について説明する。まず、通信システム２００のシステム構成例について説明する。
【００３０】
図２は、通信システム２００のシステム構成例を示す説明図である。図２において、通信システム２００は、情報処理装置１０１と、端末装置Ｔ１〜Ｔｎ（ｎ：２以上の自然数）と、アクセスポイントＡＰ１〜ＡＰｍ（ｍ：２以上の自然数）と、を含む。通信システム２００において、情報処理装置１０１、端末装置Ｔ１〜ＴｎおよびアクセスポイントＡＰ１〜ＡＰｍは、有線または無線のネットワーク２１０を介して接続される。ネットワーク２１０は、例えば、移動体通信網、ＬＡＮ、ＷＡＮ（Ｗｉｄｅ  Ａｒｅａ  Ｎｅｔｗｏｒｋ）、インターネットなどを含む。
【００３１】
以下の説明では、端末装置Ｔ１〜Ｔｎのうちの任意の端末装置を「端末装置Ｔｉ」と表記する場合がある（ｉ＝１，２，…，ｎ）。また、アクセスポイントＡＰ１〜ＡＰｍのうちの任意のアクセスポイントを「アクセスポイントＡＰｊ」と表記する場合がある（ｊ＝１，２，…，ｍ）。
【００３２】
ここで、情報処理装置１０１は、地図情報の表示を制御する。情報処理装置１０１は、画像管理テーブル２２０、拠点管理テーブル２３０、装置管理テーブル２４０、接続状況管理テーブル２５０および電波範囲テーブル２６０を有する。なお、各種テーブル２２０，２３０，２４０，２５０，２６０の記憶内容については、図５〜図９を用いて後述する。
【００３３】
アクセスポイントＡＰ１〜ＡＰｍは、各地に設置された無線ＬＡＮのアクセスポイントである。アクセスポイントＡＰｊは、複数の拠点Ｂのうちのいずれかの拠点Ｂに設置されている。ここでは、複数の拠点Ｂは、地域Ｒの教育委員会が管理する学校（小学校、中学校など）である場合を想定する。地域Ｒは、ある市区町村である。
【００３４】
端末装置Ｔｉは、通信システム２００の管理者や利用者が使用するコンピュータである。端末装置Ｔｉは、例えば、スマートフォン、携帯電話機、タブレット型ＰＣ（Ｐｅｒｓｏｎａｌ  Ｃｏｍｐｕｔｅｒ）、ＰＣなどである。通信システム２００の管理者は、例えば、教育委員会のシステム管理者である。通信システム２００の利用者は、例えば、学校の教員、生徒、保護者などである。
【００３５】
通信システム２００において、端末装置Ｔｉは、アクセスポイントＡＰｊの通信エリアで、アクセスポイントＡＰｊと無線通信可能であり、アクセスポイントＡＰｊを介してネットワーク２１０に接続することができる。また、アクセスポイントＡＰｊが開放されると、利用者は、特定のＳＳＩＤ（Ｓｅｒｖｉｃｅ  Ｓｅｔ  Ｉｄｅｎｔｉｆｉｅｒ）を用いて認証なしでアクセスポイントＡＰｊを利用可能となる。特定のＳＳＩＤは、無料開放用のＳＳＩＤである。例えば、学校に設置されるアクセスポイントＡＰｊの場合、学校の職員や保護者などに対して、特定のＳＳＩＤが紙媒体等で通知される。
【００３６】
（情報処理装置１０１のハードウェア構成例）
図３は、情報処理装置１０１のハードウェア構成例を示すブロック図である。図３において、情報処理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、情報処理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてネットワーク２１０に接続され、ネットワーク２１０を介して外部のコンピュータ（例えば、図２に示した端末装置Ｔ１〜Ｔｎ、アクセスポイントＡＰ１〜ＡＰｍ）に接続される。そして、Ｉ／Ｆ３０３は、ネットワーク２１０と装置内部とのインターフェースを司り、外部のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、情報処理装置１０１は、上述した構成部のほかに、例えば、ＳＳＤ（Ｓｏｌｉｄ  Ｓｔａｔｅ  Ｄｒｉｖｅ）、入力装置、ディスプレイ等を有することにしてもよい。
【００４１】
（端末装置Ｔｉのハードウェア構成例）
図４は、端末装置Ｔｉのハードウェア構成例を示すブロック図である。図４において、端末装置Ｔｉは、ＣＰＵ４０１と、メモリ４０２と、公衆網Ｉ／Ｆ４０３と、ＷＬＡＮ（Ｗｉｒｅｌｅｓｓ  ＬＡＮ）  Ｉ／Ｆ４０４と、ディスプレイ４０５と、入力装置４０６と、を有する。また、各構成部はバス４００によってそれぞれ接続される。
【００４２】
ここで、ＣＰＵ４０１は、端末装置Ｔｉの全体の制御を司る。メモリ４０２は、例えば、ＲＯＭ、ＲＡＭおよびフラッシュＲＯＭなどを有する記憶部である。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４３】
公衆網Ｉ／Ｆ４０３は、通信回線を通じてネットワーク２１０に接続され、ネットワーク２１０を介して外部のコンピュータ（例えば、図２に示した情報処理装置１０１）に接続される。そして、公衆網Ｉ／Ｆ４０３は、ネットワーク２１０と自装置内部とのインターフェースを司り、外部装置からのデータの入出力を制御する。
【００４４】
ＷＬＡＮ  Ｉ／Ｆ４０４は、無線通信回路とアンテナを有し、アクセスポイントＡＰｊを介してネットワーク２１０に接続され、ネットワーク２１０を介して外部のコンピュータに接続される。そして、ＷＬＡＮ  Ｉ／Ｆ４０４は、ネットワーク２１０と内部のインターフェースを司り、外部のコンピュータからのデータの入出力を制御する。
【００４５】
ディスプレイ４０５は、カーソル、アイコンあるいはツールボックスをはじめ、文書、画像、機能情報などのデータを表示する表示装置である。ディスプレイ４０５としては、例えば、液晶ディスプレイ、有機ＥＬ（Ｅｌｅｃｔｒｏｌｕｍｉｎｅｓｃｅｎｃｅ）ディスプレイなどを採用することができる。図１に示した表示画面１３０は、例えば、ディスプレイ４０５に相当する。
【００４６】
入力装置４０６は、文字、数字、各種指示などの入力のためのキーを有し、データの入力を行う。入力装置４０６は、キーボードやマウスなどであってもよく、また、タッチパネル式の入力パッドやテンキーなどであってもよい。
【００４７】
なお、端末装置Ｔｉは、上述した構成部のほかに、例えば、ＨＤＤ（Ｈａｒｄ  Ｄｉｓｋ  Ｄｒｉｖｅ）、ＳＳＤなどを有することにしてもよい。
【００４８】
（各種テーブル２２０，２３０，２４０，２５０，２６０の記憶内容）
つぎに、図５〜図９を用いて、情報処理装置１０１が有する各種テーブル２２０，２３０，２４０，２５０，２６０の記憶内容について説明する。各種テーブル２２０，２３０，２４０，２５０，２６０は、例えば、図３に示したメモリ３０２、ディスク３０５などの記憶装置に記憶される。
【００４９】
図５は、画像管理テーブル２２０の記憶内容の一例を示す説明図である。図５において、画像管理テーブル２２０は、画像ＩＤ、画像名称、画像種別、ファイル格納パス、ファイル名および更新日付のフィールドを有し、各フィールドに情報を設定することで、画像管理情報（例えば、画像管理情報５００−１〜５００−３）をレコードとして記憶する。
【００５０】
ここで、画像ＩＤは、地図画像を一意に識別する識別子である。地図画像は、地域Ｒまたは拠点Ｂを一定の割合で縮小して平面上にあらわした画像データ、すなわち、地域Ｒまたは拠点Ｂの地図情報に相当する。画像名称は、地図画像の名称である。画像種別は、地図画像が地域Ｒまたは拠点Ｂのいずれの地図画像であるかを示す種別である。ここでは、画像種別「ｅｎｔｉｒｅ＿ｍａｐ」は、地域Ｒの地図画像を示す。画像種別「ｌｏｃａｌ＿ｍａｐ」は、拠点Ｂの地図画像を示す。ファイル格納パスは、地図画像が格納された場所を示すパスである。ファイル名は、地図画像のファイル名である。更新日付は、地図画像が更新された日付を示す。
【００５１】
図６は、拠点管理テーブル２３０の記憶内容の一例を示す説明図である。図６において、拠点管理テーブル２３０は、拠点ＩＤ、拠点名称、画像ＩＤ、Ｘ座標およびＹ座標のフィールドを有し、各フィールドに情報を設定することで、拠点管理情報（例えば、拠点管理情報６００−１，６００−２）をレコードとして記憶する。
【００５２】
ここで、拠点ＩＤは、地域Ｒ内の拠点Ｂを一意に識別する識別子である。拠点名称は、拠点Ｂの名称である。画像ＩＤは、拠点Ｂの地図画像の画像ＩＤである。Ｘ座標およびＹ座標は、地域Ｒの地図画像上での拠点Ｂの位置を示す位置情報である。
【００５３】
図７は、装置管理テーブル２４０の記憶内容の一例を示す説明図である。図７において、装置管理テーブル２４０は、装置ＩＤ、装置名、ホスト名、ＩＰアドレス、ログイン情報、装置状態、拠点ＩＤ、ｘ座標およびｙ座標のフィールドを有する。各フィールドに情報を設定することで、装置管理情報（例えば、装置管理情報７００−１〜７００−３）がレコードとして記憶される。
【００５４】
ここで、装置ＩＤは、アクセスポイントＡＰｊを識別する識別子である。装置名は、アクセスポイントＡＰｊの名称である。ホスト名は、アクセスポイントＡＰｊが認識する自局の識別子である。ＩＰ（Ｉｎｔｅｒｎｅｔ  Ｐｒｏｔｏｃｏｌ）アドレスは、アクセスポイントＡＰｊのＩＰアドレスである。ログイン情報は、アクセスポイントＡＰｊにログインするための情報である。ログイン情報は、例えば、ログインユーザ名、ログインパスワードなどを含む。
【００５５】
装置状態は、アクセスポイントＡＰｊの運用状態を示す。ここでは、装置状態「０」は、アクセスポイントＡＰｊが通常状態であることを示す。通常状態とは、利用者の認証ありで通信を行う状態である。装置状態「１」は、アクセスポイントＡＰｊが開放状態であることを示す。開放状態とは、特定のＳＳＩＤを用いて利用者の認証なしで通信を行う状態である。
【００５６】
拠点ＩＤは、アクセスポイントＡＰｊが設置された拠点Ｂの拠点ＩＤである。ｘ座標およびｙ座標は、拠点Ｂの地図画像上でのアクセスポイントＡＰｊの設置位置を示す位置情報である。なお、装置管理テーブル２４０には、アクセスポイントＡＰｊに設定されている送信電力を示す情報が含まれていてもよい。
【００５７】
図８は、接続状況管理テーブル２５０の記憶内容の一例を示す説明図である。図８において、接続状況管理テーブル２５０は、拠点ＩＤ、装置ＩＤ、日時、ＳＳＩＤ１、ＳＳＩＤ２およびＳＳＩＤ３のフィールドを有し、各フィールドに情報を設定することで、接続状況管理情報（例えば、接続状況管理情報８００−１）を記憶する。
【００５８】
ここで、拠点ＩＤは、拠点Ｂの拠点ＩＤである。装置ＩＤは、拠点Ｂ内に設置されたアクセスポイントＡＰｊの装置ＩＤである。日時は、アクセスポイントＡＰｊの接続状況が計測された日時を示す。ＳＳＩＤ１、ＳＳＩＤ２およびＳＳＩＤ３は、アクセスポイントＡＰｊの接続状況を示す情報である。
【００５９】
具体的には、ＳＳＩＤ１は、アクセスポイントＡＰｊに第１のＳＳＩＤを用いて接続中の端末数を示す。また、ＳＳＩＤ２は、アクセスポイントＡＰｊに第２のＳＳＩＤを用いて接続中の端末数を示す。また、ＳＳＩＤ３は、アクセスポイントＡＰｊに第３のＳＳＩＤを用いて接続中の端末数を示す。
【００６０】
なお、第１、第２および第３のＳＳＩＤは、各アクセスポイントＡＰｊに設定されるＳＳＩＤである。同じ拠点Ｂ内のアクセスポイント間では、例えば、ＳＳＩＤ１として、同じＳＳＩＤが設定される。ＳＳＩＤ２、ＳＳＩＤ３についても同様である。ただし、拠点Ｂ内の各アクセスポイントＡＰｊには、いくつのＳＳＩＤが設定されていてもよい。
【００６１】
例えば、接続状況管理情報８００−１は、拠点Ｂ２内に設置された各アクセスポイントＡＰｊ（例えば、アクセスポイントＡＰ１，ＡＰ２）の接続状況の時系列変化を示す。なお、接続状況管理テーブル２５０には、アクセスポイントＡＰｊが故障、破損等の異常状態であるか否かを示す情報が含まれていてもよい。
【００６２】
図９は、電波範囲テーブル２６０の記憶内容の一例を示す説明図である。図９において、電波範囲テーブル２６０は、設定値、送信電力、到達距離および画像サイズのフィールドを有し、各フィールドに情報を設定することで、電波範囲情報９００−１〜９００−５をレコードとして記憶する。
【００６３】
ここで、設定値は、アクセスポイントＡＰｊに設定する送信電力に関する値を示す。送信電力は、アクセスポイントＡＰｊの送信電力を示す（単位：ｄＢｍ）。到達距離は、送信電力に対応する電波の到達距離を示す（単位：ｍ）。画像サイズは、地図画像上でのアクセスポイントＡＰｊの電波範囲の半径を示す（単位：ｃｍ）。
【００６４】
ただし、到達距離は、地図の縮尺を「１ｃｍ＝１０ｍ」とした場合の値である。また、ここでの到達距離は、周波数帯が５．２ＧＨｚ帯である場合を想定した値である。
【００６５】
（情報処理装置１０１の機能的構成例）
図１０は、情報処理装置１０１の機能的構成例を示すブロック図である。図１０において、情報処理装置１０１は、受付部１００１と、表示制御部１００２と、計測部１００３と、検出部１００４と、を含む構成である。受付部１００１〜検出部１００４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００６６】
受付部１００１は、地域Ｒの地図画像の表示要求を受け付ける。具体的には、例えば、受付部１００１は、端末装置Ｔｉから地域Ｒの地図画像の表示要求を受信することにより、当該表示要求を受け付ける。地域Ｒの地図画像の表示要求の要求元は、例えば、地域Ｒの教育委員会のシステム管理者である。
【００６７】
表示制御部１００２は、地域Ｒの地図画像を表示する制御を行う。具体的には、例えば、表示制御部１００２は、地域Ｒの地図画像の表示要求に応じて、図５に示した画像管理テーブル２２０を参照して、地域Ｒの地図画像を取得する。より詳細に説明すると、例えば、表示制御部１００２は、画像管理テーブル２２０から、画像種別「ｅｎｔｉｒｅ＿ｍａｐ」の画像管理情報５００−１を取得する。そして、表示制御部１００２は、画像管理情報５００−１のファイル格納パス「／ｕｓｒ／ｆｗｃ／ｍａｐ」を参照して、ファイル名「ｃｉｔｙ＿ｍａｐ．ｐｎｇ」の地図画像を読み出すことにより、地域Ｒの地図画像Ｐ１を取得する。なお、地図画像Ｐ＃は、画像ＩＤ「Ｐ＃」の地図画像である。
【００６８】
つぎに、表示制御部１００２は、図６に示した拠点管理テーブル２３０を参照して、地域Ｒの地図画像Ｐ１上での各拠点Ｂの位置を示す位置情報（Ｘ座標、Ｙ座標）を特定する。ここでは、拠点Ｂ１〜Ｂ５の位置を示す位置情報（Ｘ座標、Ｙ座標）が特定された場合を想定する。この場合、表示制御部１００２は、特定した各拠点Ｂ１〜Ｂ５の位置を示す位置情報（Ｘ座標、Ｙ座標）に基づいて、地域Ｒの地図画像Ｐ１上に各拠点Ｂ１〜Ｂ５をあらわすアイコンｂ１〜ｂ５を表示する全体地図画像ＥＭを生成する。そして、表示制御部１００２は、生成した全体地図画像ＥＭを端末装置Ｔｉに送信することにより、端末装置Ｔｉに全体地図画像ＥＭを表示する。
【００６９】
これにより、端末装置Ｔｉのディスプレイ４０５（図４参照）に、地域Ｒの地図画像Ｐ１上に各拠点Ｂ１〜Ｂ５をあらわすアイコンｂ１〜ｂ５が表示された全体地図画像ＥＭを表示することができる。なお、全体地図画像ＥＭの表示例については、図１１を用いて後述する。
【００７０】
また、受付部１００１は、地域Ｒの地図画像上に表示したいずれかのアイコンｂの選択を受け付ける。ここで、アイコンｂの選択は、例えば、端末装置Ｔｉに表示される全体地図画像ＥＭ上で行われる。全体地図画像ＥＭ上でアイコンｂが選択されると、アイコンｂが選択されたことを示す操作情報が、端末装置Ｔｉから情報処理装置１０１に送信される。操作情報には、全体地図画像ＥＭ上で選択されたアイコンｂを識別する情報、例えば、アイコンｂがあらわす拠点Ｂの拠点ＩＤが含まれる。この場合、受付部１００１は、端末装置Ｔｉから操作情報を受信することにより、アイコンｂの選択を受け付ける。
【００７１】
また、表示制御部１００２は、地域Ｒの地図画像上に表示したいずれかのアイコンｂが選択されたことに応じて、選択されたアイコンｂがあらわす拠点Ｂの地図画像を表示する制御を行う。具体的には、例えば、表示制御部１００２は、画像管理テーブル２２０を参照して、拠点Ｂの地図画像を取得する。
【００７２】
より詳細に説明すると、例えば、表示制御部１００２は、拠点管理テーブル２３０を参照して、選択されたアイコンｂがあらわす拠点Ｂの拠点ＩＤに対応する画像ＩＤを特定する。ここでは、拠点Ｂ２の拠点ＩＤ「Ｂ２」に対応する画像ＩＤ「Ｐ３」が特定された場合を想定する。この場合、表示制御部１００２は、画像管理テーブル２２０から、画像ＩＤ「Ｐ３」の画像管理情報５００−３を取得する。そして、表示制御部１００２は、画像管理情報５００−３のファイル格納パス「／ｕｓｒ／ｆｗｃ／ｍａｐ」を参照して、ファイル名「ｄａｉ２Ｓ＿ｍａｐ．ｐｎｇ」の地図画像を読み出すことにより、拠点Ｂ２の地図画像Ｐ３を取得する。
【００７３】
つぎに、表示制御部１００２は、図７に示した装置管理テーブル２４０を参照して、拠点Ｂ２内のアクセスポイントＡＰｊ、すなわち、拠点ＩＤフィールドに「Ｂ２」が設定されたアクセスポイントＡＰｊを特定する。ここでは、拠点ＩＤフィールドに「Ｂ２」が設定されたアクセスポイントＡＰ１〜ＡＰ７が特定された場合を想定する。この場合、表示制御部１００２は、装置管理テーブル２４０を参照して、拠点Ｂ２の地図画像Ｐ３上での各アクセスポイントＡＰ１〜ＡＰ７の設置位置を示す位置情報（ｘ座標、ｙ座標）を特定する。
【００７４】
つぎに、表示制御部１００２は、特定した各アクセスポイントＡＰ１〜ＡＰ７の設置位置を示す位置情報（ｘ座標、ｙ座標）に基づいて、拠点Ｂ２の地図画像Ｐ３上に各アクセスポイントＡＰ１〜ＡＰ７をあらわすアイコンａｐ１〜ａｐ７を表示する拠点地図画像ＢＭを生成する。そして、表示制御部１００２は、生成した拠点地図画像ＢＭを端末装置Ｔｉに送信することにより、端末装置Ｔｉに拠点地図画像ＢＭを表示する。
【００７５】
これにより、端末装置Ｔｉのディスプレイ４０５に、拠点Ｂ２の地図画像Ｐ３上に各アクセスポイントＡＰ１〜ＡＰ７をあらわすアイコンａｐ１〜ａｐ７が表示された拠点地図画像ＢＭを表示することができる。なお、拠点地図画像ＢＭの表示例については、図１２を用いて後述する。
【００７６】
計測部１００３は、アクセスポイントＡＰｊの接続状況を計測する。ここで、アクセスポイントＡＰｊの接続状況は、例えば、アクセスポイントＡＰｊに接続中の端末数や、アクセスポイントＡＰｊを介して行われたデータ通信量などである。接続中の端末数やデータ通信量は、例えば、アクセスポイントＡＰｊに設定されたＳＳＩＤごとに計測される。
【００７７】
具体的には、例えば、計測部１００３は、装置管理テーブル２４０を参照して、各アクセスポイントＡＰｊのログイン情報を特定する。そして、計測部１００３は、特定したログイン情報を用いて各アクセスポイントＡＰｊにアクセスすることにより、各アクセスポイントＡＰｊの接続状況を問い合わせる。なお、アクセスポイントＡＰｊの接続状況の計測は、例えば、一定時間（例えば、１０分）ごとに定期的に行われる。また、計測されたアクセスポイントＡＰｊの接続状況は、例えば、図８に示した接続状況管理テーブル２５０に記憶される。
【００７８】
検出部１００４は、地域Ｒの地図画像上に表示したいずれかのアイコンｂに対する所定の操作を検出する。ここで、所定の操作は、任意に設定可能であり、例えば、マウスオーバー、ダブルタップ、ダブルクリックなどである。アイコンｂに対する所定の操作は、例えば、端末装置Ｔｉに表示される全体地図画像ＥＭ上で行われる。全体地図画像ＥＭ上でアイコンｂに対する所定の操作が行われると、アイコンｂに対して所定の操作が行われたことを示す操作情報が、端末装置Ｔｉから情報処理装置１０１に送信される。操作情報には、全体地図画像ＥＭ上で所定の操作が行われたアイコンｂを識別する情報、例えば、アイコンｂがあらわす拠点Ｂの拠点ＩＤが含まれる。この場合、受付部１００１は、端末装置Ｔｉから操作情報を受信することにより、アイコンｂに対する所定の操作を検出する。
【００７９】
また、表示制御部１００２は、地域Ｒの地図画像上に表示したいずれかのアイコンｂに対する所定の操作が検出されたことに応じて、所定の操作が検出されたアイコンｂがあらわす拠点Ｂ内のアクセスポイントＡＰｊの接続状況を表示する制御を行う。
【００８０】
ここで、全体地図画像ＥＭ上でアイコンｂ２に対する所定の操作が行われた場合を想定する。アイコンｂ２は、拠点Ｂ２をあらわすアイコンである。この場合、表示制御部１００２は、例えば、接続状況管理テーブル２５０を参照して、アイコンｂ２があらわす拠点Ｂ２内の各アクセスポイントＡＰｊのＳＳＩＤ１〜ＳＳＩＤ３ごとの接続中の端末数（最新）を特定する。なお、端末数（最新）は、計測日時が最新の端末数である。そして、表示制御部１００２は、ＳＳＩＤ１〜ＳＳＩＤ３ごとに、各アクセスポイントＡＰｊの接続中の端末数（最新）の合計値を、拠点Ｂ２内のアクセスポイントＡＰｊの接続状況として特定することにしてもよい。この際、表示制御部１００２は、例えば、拠点Ｂ２内の各アクセスポイントＡＰｊが故障、破損等の異常状態であるか否かを判断することにしてもよい。
【００８１】
そして、表示制御部１００２は、全体地図画像ＥＭ上に表示したアイコンｂ２と対応付けて、特定した拠点Ｂ２内のアクセスポイントＡＰｊの接続状況を表示する。この際、表示制御部１００２は、拠点Ｂ２内のアクセスポイントＡＰｊを示す情報や、アクセスポイントＡＰｊの機器状態をあわせて表示することにしてもよい。機器状態は、アクセスポイントＡＰｊが正常状態または異常状態のいずれであるかを示す。
【００８２】
より具体的には、例えば、表示制御部１００２は、拠点Ｂ２の接続状況情報を端末装置Ｔｉに送信することにより、全体地図画像ＥＭ上に表示したアイコンｂ２と対応付けて、拠点Ｂ２の接続状況情報をポップアップ表示させることにしてもよい。拠点Ｂ２の接続状況情報には、例えば、拠点Ｂ２の拠点名称、接続状況、機器状態などを示す情報が含まれる。
【００８３】
これにより、端末装置Ｔｉのディスプレイ４０５に、地域Ｒの地図画像Ｐ１上に表示された拠点Ｂ２をあらわすアイコンｂ２と対応付けて、拠点Ｂ２の拠点名、接続状況、機器状態等をポップアップ表示することができる。なお、拠点Ｂ内のアクセスポイントＡＰｊの接続状況の表示例については、図１１を用いて後述する。
【００８４】
また、検出部１００４は、拠点Ｂの地図画像上に表示したいずれかのアイコンａｐに対する所定の操作を検出する。ここで、所定の操作は、任意に設定可能であり、例えば、マウスオーバー、ダブルタップ、ダブルクリックなどである。アイコンａｐに対する所定の操作は、例えば、端末装置Ｔｉに表示される拠点地図画像ＢＭ上で行われる。拠点地図画像ＢＭ上でアイコンａｐに対する所定の操作が行われると、アイコンａｐに対して所定の操作が行われたことを示す操作情報が、端末装置Ｔｉから情報処理装置１０１に送信される。操作情報には、拠点地図画像ＢＭ上で所定の操作が行われたアイコンａｐを識別する情報、例えば、アイコンａｐがあらわすアクセスポイントＡＰｊの装置ＩＤが含まれる。この場合、受付部１００１は、端末装置Ｔｉから操作情報を受信することにより、アイコンａｐに対する所定の操作を検出する。
【００８５】
また、表示制御部１００２は、拠点Ｂの地図画像上に表示したいずれかのアイコンａｐに対する所定の操作が検出されたことに応じて、所定の操作が検出されたアイコンａｐがあらわすアクセスポイントＡＰｊの接続状況を表示する制御を行う。
【００８６】
ここで、拠点地図画像ＢＭ上でアイコンａｐ３に対する所定の操作が行われた場合を想定する。アイコンａｐ３は、拠点Ｂ２内のアクセスポイントＡＰ３をあらわすアイコンである。この場合、表示制御部１００２は、例えば、接続状況管理テーブル２５０を参照して、アイコンａｐ３があらわすアクセスポイントＡＰ３のＳＳＩＤ１〜ＳＳＩＤ３ごとの接続中の端末数（最新）を、アクセスポイントＡＰ３の接続状況として特定することにしてもよい。この際、表示制御部１００２は、例えば、アクセスポイントＡＰ３が故障、破損等の異常状態であるか否かを判断することにしてもよい。
【００８７】
そして、表示制御部１００２は、拠点地図画像ＢＭ上に表示したアイコンａｐ３と対応付けて、特定したアクセスポイントＡＰ３の接続状況を表示する。この際、表示制御部１００２は、アクセスポイントＡＰ３の機器状態をあわせて表示することにしてもよい。機器状態は、アクセスポイントＡＰ３が正常状態または異常状態のいずれであるかを示す。
【００８８】
より具体的には、例えば、表示制御部１００２は、アクセスポイントＡＰ３の接続状況情報を端末装置Ｔｉに送信することにより、拠点地図画像ＢＭ上に表示したアイコンａｐ３と対応付けて、接続状況情報をポップアップ表示することにしてもよい。アクセスポイントＡＰ３の接続状況情報には、例えば、アクセスポイントＡＰ３の装置名、接続状況、機器状態などを示す情報が含まれる。
【００８９】
これにより、端末装置Ｔｉのディスプレイ４０５に、拠点Ｂ２の地図画像Ｐ３上に表示されたアクセスポイントＡＰ３をあらわすアイコンａｐ３と対応付けて、アクセスポイントＡＰ３の装置名、接続状況、機器状態等をポップアップ表示することができる。なお、アクセスポイントＡＰｊの接続状況の表示例については、図１２を用いて後述する。
【００９０】
また、受付部１００１は、拠点Ｂ内のアクセスポイントＡＰｊの接続状況に関する統計情報の表示要求を受け付ける。ここで、統計情報の表示要求は、例えば、端末装置Ｔｉに表示される拠点地図画像ＢＭ上で行われ、端末装置Ｔｉから情報処理装置１０１に送信される。この場合、受付部１００１は、端末装置Ｔｉから統計情報の表示要求を受信することにより、統計情報の表示要求を受け付ける。統計情報の表示要求には、例えば、拠点Ｂの拠点ＩＤが含まれる。
【００９１】
また、表示制御部１００２は、拠点Ｂ内のアクセスポイントＡＰｊの接続状況に関する統計情報の表示要求に応じて、拠点Ｂ内のアクセスポイントＡＰｊの接続状況の時系列変化を示す情報を、グラフ形式または表形式で表示する制御を行う。具体的には、例えば、表示制御部１００２は、接続状況管理テーブル２５０から、統計情報の表示要求に含まれる拠点ＩＤに対応する接続状況管理情報を取得する。
【００９２】
そして、表示制御部１００２は、取得した接続状況管理情報を端末装置Ｔｉに送信することにより、拠点Ｂ内のアクセスポイントＡＰｊの接続状況の時系列変化を示す情報を、グラフ形式または表形式で表示させる。この際、表示制御部１００２は、例えば、拠点単位または装置単位の接続状況の時系列変化を示す情報を、グラフ形式または表形式で表示させることにしてもよい。
【００９３】
ここで、拠点単位の接続状況の時系列変化を示す情報とは、例えば、各計測日時における拠点Ｂ内の全アクセスポイントのＳＳＩＤごとの接続中の端末数の合計値を時系列に並べたものである。また、装置単位の接続状況の時系列変化を示す情報とは、例えば、各計測日時における拠点Ｂ内の各アクセスポイントＡＰｊのＳＳＩＤごとの接続中の端末数を時系列に並べたものである。
【００９４】
グラフ形式で表示するとは、拠点単位または装置単位の接続状況の時系列変化を、折れ線グラフや棒グラフによってあらわすことである。また、表形式で表示するとは、拠点単位または装置単位の接続状況の時系列変化を、表によってあらわすことである。ただし、拠点単位または装置単位の接続状況の時系列変化を示すグラフや表は、情報処理装置１０１側で生成して端末装置Ｔｉに送信されることにしてもよい。
【００９５】
なお、拠点Ｂ内のアクセスポイントＡＰｊの接続状況に関する統計情報の表示例については、図１３および図１４を用いて後述する。
【００９６】
また、表示制御部１００２は、拠点Ｂの地図情報上に表示したアクセスポイントＡＰｊをあらわすアイコンａｐと対応付けて、アクセスポイントＡＰｊの送信電力に応じた電波範囲をあらわす電波範囲画像ｅをさらに表示することにしてもよい。具体的には、例えば、表示制御部１００２は、拠点Ｂ内のアクセスポイントＡＰｊの送信電力を特定する。アクセスポイントＡＰｊの送信電力は、例えば、装置管理テーブル２４０から特定されてもよく、また、アクセスポイントＡＰｊに問い合わせることにしてもよい。
【００９７】
つぎに、表示制御部１００２は、図９に示した電波範囲テーブル２６０を参照して、特定したアクセスポイントＡＰｊの送信電力に対応する画像サイズを特定する。そして、表示制御部１００２は、特定したアクセスポイントＡＰｊの画像サイズを端末装置Ｔｉに送信することにより、拠点地図画像ＢＭ上のアイコンａｐと対応付けて、画像サイズに応じた電波範囲画像ｅを表示させる。電波範囲画像ｅは、例えば、アイコンａｐを中心とし、アクセスポイントＡＰｊの画像サイズを半径とする円形画像である。
【００９８】
なお、アクセスポイントＡＰｊの送信電力に応じた電波範囲をあらわす電波範囲画像ｅの表示例については、図１５を用いて後述する。
【００９９】
（全体地図画像ＥＭの表示例）
つぎに、図１１を用いて、端末装置Ｔｉのディスプレイ４０５に表示される全体地図画像ＥＭの表示例について説明する。
【０１００】
図１１は、全体地図画像ＥＭの表示例を示す説明図である。図１１において、全体地図画像ＥＭは、地域Ｒの地図画像Ｐ１上に各拠点Ｂ１〜Ｂ５をあらわすアイコンｂ１〜ｂ５を表示する地図画像である。全体地図画像ＥＭによれば、ユーザは、地域Ｒ内の拠点Ｂ１〜Ｂ５の位置を直感的に把握することができる。
【０１０１】
全体地図画像ＥＭにおいて、図４に示した入力装置４０６を用いたユーザの操作入力により、カーソルＣを移動させてアイコンｂ２にマウスオーバーすると、アイコンｂ２と対応付けて接続状況情報１１００がポップアップ表示される。接続状況情報１１００は、拠点名称と、機器状態と、接続人数と、所属装置とを含む。
【０１０２】
拠点名称は、拠点Ｂ２の名称である。機器状態は、拠点Ｂ２内のアクセスポイントＡＰｊが正常状態または異常状態のいずれであるかを示す。接続人数は、拠点Ｂ２内のアクセスポイントＡＰｊの接続状況を示す。ここでは、接続人数は、拠点Ｂ２内の全アクセスポイントのＳＳＩＤごとの接続中の端末数（最新）の合計値である。所属装置は、拠点Ｂ２内のアクセスポイントＡＰｊの装置名を示す。
【０１０３】
接続状況情報１１００によれば、ユーザは、拠点Ｂ２の拠点名称、機器状態、接続人数および所属装置を把握することができる。例えば、ユーザは、拠点Ｂ２内の全アクセスポイントが正常であることがわかる。また、ユーザは、拠点Ｂ２において、ＳＳＩＤ１を用いて接続中の端末数が「１５０」で、ＳＳＩＤ２を用いて接続中の端末数が「５７」であることがわかる。なお、接続状況情報１１００は、例えば、カーソルＣがアイコンｂ２からマウスアウトすると非表示となる。
【０１０４】
また、全体地図画像ＥＭにおいて、ユーザの操作入力により、カーソルＣを移動させてアイコンｂ２を選択（例えば、ダブルクリック）すると、ディスプレイ４０５の表示内容が、全体地図画像ＥＭから、図１２に示すような拠点地図画像ＢＭに切り替わる。
【０１０５】
なお、ユーザの操作入力により、カーソルＣを移動させてボタンＢＴ１を選択すると、画面表示を終了することができる。また、ユーザの操作入力により、カーソルＣを移動させてボタンＢＴ２を選択すると、全体地図画像ＥＭを最新の情報に更新することができる。
【０１０６】
（拠点地図画像ＢＭの表示例）
つぎに、図１２を用いて、端末装置Ｔｉのディスプレイ４０５に表示される拠点地図画像ＢＭの表示例について説明する。ここでは、図１１に示した全体地図画像ＥＭにおいて、アイコンｂ２が選択されたことに応じて表示される拠点地図画像ＢＭの表示例について説明する。
【０１０７】
図１２は、拠点地図画像ＢＭの表示例を示す説明図である。図１２において、拠点地図画像ＢＭは、拠点Ｂ２の地図画像Ｐ３上に各アクセスポイントＡＰ１〜ＡＰ７をあらわすアイコンａｐ１〜ａｐ７を表示する地図画像である。拠点地図画像ＢＭによれば、ユーザは、拠点Ｂ２内の各アクセスポイントＡＰ１〜ＡＰ７の設置位置を直感的に把握することができる。
【０１０８】
拠点地図画像ＢＭにおいて、入力装置４０６を用いたユーザの操作入力により、カーソルＣを移動させてアイコンａｐ３にマウスオーバーすると、アイコンａｐ３と対応付けて接続状況情報１２００がポップアップ表示される。接続状況情報１２００は、装置名と、機器状態と、接続人数と、を含む。
【０１０９】
装置名は、アイコンａｐ３があらわすアクセスポイントＡＰ３の名称である。機器状態は、アクセスポイントＡＰ３が正常状態または異常状態のいずれであるかを示す。接続人数は、アクセスポイントＡＰ３の接続状況を示す。ここでは、接続人数は、アクセスポイントＡＰ３のＳＳＩＤごとの接続中の端末数（最新）である。
【０１１０】
接続状況情報１２００によれば、ユーザは、拠点Ｂ２内のアクセスポイントＡＰ３の装置名、機器状態および接続人数を把握することができる。例えば、ユーザは、アクセスポイントＡＰ３が正常であることがわかる。また、ユーザは、拠点Ｂ２において、ＳＳＩＤ１を用いてアクセスポイントＡＰ３に接続中の端末数が「３７」で、ＳＳＩＤ２を用いてアクセスポイントＡＰ３に接続中の端末数が「１０」であることがわかる。
【０１１１】
なお、接続状況情報１２００は、例えば、カーソルＣがアイコンａｐ３からマウスアウトすると非表示となる。また、拠点地図画像ＢＭにおいて、各アイコンａｐ１〜ａｐ７は、各アクセスポイントＡＰ１〜ＡＰ７の装置状態（通常状態／開放状態）や機器状態（正常状態／異常状態）を判別可能に異なる表示態様で表示することにしてもよい。
【０１１２】
例えば、開放状態のアクセスポイントＡＰｊをあらわすアイコンａｐを、他のアイコンａｐとは異なる色で表示することにしてもよい。また、異常状態のアクセスポイントＡＰｊをあらわすアイコンａｐを、他のアイコンａｐよりも明度や彩度を下げて表示することにしてもよい。これにより、ユーザは、開放状態や異常状態のアクセスポイントＡＰｊを判別しやすくなる。
【０１１３】
また、ユーザの操作入力により、カーソルＣを移動させてボタンＢＴ５を選択すると、拠点Ｂ２内のアクセスポイントＡＰ３の接続状況に関する統計情報の表示要求が、端末装置Ｔｉから情報処理装置１０１に送信される。この結果、図１３に示すような拠点Ｂ２内のアクセスポイントＡＰｊの接続状況に関する統計情報が、ディスプレイ４０５に表示される。
【０１１４】
また、ユーザの操作入力により、カーソルＣを移動させて拠点一覧１２１０のいずれかの拠点名称を選択すると、選択された拠点名称の拠点Ｂの拠点地図画像ＢＭに更新することができる。例えば、拠点一覧１２１０から拠点名称「第一小学校」が選択されると、拠点Ｂ１の拠点地図画像ＢＭが表示される。
【０１１５】
（統計情報の表示例）
つぎに、図１３および図１４を用いて、端末装置Ｔｉのディスプレイ４０５に表示される拠点Ｂ内のアクセスポイントＡＰｊの接続状況に関する統計情報の表示例について説明する。ここでは、拠点名称「第一小学校」の拠点Ｂ１内のアクセスポイントＡＰｊの接続状況に関する統計情報の表示例について説明する。
【０１１６】
図１３は、拠点Ｂ内のアクセスポイントＡＰｊの接続状況に関する統計情報の表示例を示す説明図（その１）である。図１３において、グラフ１３０１〜１３０３は、拠点Ｂ１の拠点単位の接続状況の時系列変化を示す情報である。具体的には、グラフ１３０１〜１３０３は、各計測日時における拠点Ｂ１内の各アクセスポイントＡＰｊのＳＳＩＤごとの接続中の端末数の合計値を時系列にプロットした折れ線グラフである。ただし、図１３では、計測日時の日付の表示を省略している。
【０１１７】
グラフ１３０１〜１３０３によれば、ユーザは、拠点名称「第一小学校」の拠点Ｂ１において、各ＳＳＩＤ１，ＳＳＩＤ２，ＳＳＩＤ３を用いてアクセスポイントＡＰｊに接続中の接続人数（端末数の合計値）の時系列変化を直感的に把握することができる。
【０１１８】
また、ユーザの操作入力により、カーソルＣを移動させてボタンＢＴ６を選択すると、グラフ１３０１〜１３０３を、拠点Ｂ１の装置単位の接続状況の時系列変化を示すグラフ（不図示）に切り替えることができる。また、ボタンＢＴ６が選択された状態で、カーソルＣを移動させてボタンＢＴ７を選択すると、拠点Ｂ１の装置単位の接続状況の時系列変化を示すグラフ（不図示）を、グラフ１３０１〜１３０３に切り替えることができる。
【０１１９】
また、ユーザの操作入力により、カーソルＣを移動させてボタンＢＴ８を選択すると、図１４に示すように、拠点Ｂ１内のアクセスポイントＡＰｊの接続状況の時系列変化を示す情報を表形式で表示することができる。
【０１２０】
図１４は、拠点Ｂ内のアクセスポイントＡＰｊの接続状況に関する統計情報の表示例を示す説明図（その２）である。図１４において、表１４００は、拠点Ｂ１の拠点単位の接続状況の時系列変化を示す情報である。具体的には、表１４００は、各計測日時における拠点Ｂ１内の各アクセスポイントＡＰｊのＳＳＩＤごとの接続中の端末数の合計値を時系列に示す。ただし、図１４では、計測日時の日付の表示を省略している。
【０１２１】
表１４００によれば、ユーザは、拠点名称「第一小学校」の拠点Ｂ１において、各ＳＳＩＤ１，ＳＳＩＤ２，ＳＳＩＤ３を用いてアクセスポイントＡＰｊに接続中の接続人数（端末数の合計値）の時系列変化を把握することができる。
【０１２２】
また、ユーザの操作入力により、カーソルＣを移動させてボタンＢＴ６を選択すると、表１４００を、拠点Ｂ１の装置単位の接続状況の時系列変化を示す表（不図示）に切り替えることができる。また、ボタンＢＴ６が選択された状態で、カーソルＣを移動させてボタンＢＴ７を選択すると、拠点Ｂ１の装置単位の接続状況の時系列変化を示す表（不図示）を、表１４００に切り替えることができる。
【０１２３】
また、ユーザの操作入力により、カーソルＣを移動させてボタンＢＴ９を選択すると、表１４００を、図１３に示したグラフ１３０１〜１３０３に切り替えることができる。また、ユーザの操作入力により、カーソルＣを移動させてボタンＢＴ３を選択すると、全体地図画像ＥＭの表示に切り替えることができる。また、ユーザの操作入力により、カーソルＣを移動させてボタンＢＴ４を選択すると、拠点地図画像ＢＭの表示に切り替えることができる。
【０１２４】
（電波範囲画像ｅの表示例）
つぎに、図１５を用いて、アクセスポイントＡＰｊの送信電力に応じた電波範囲をあらわす電波範囲画像ｅの表示例について説明する。ここでは、拠点名称「第三小学校」の拠点Ｂ３内のアクセスポイントＡＰｊの送信電力に応じた電波範囲をあらわす電波範囲画像ｅの表示例について説明する。
【０１２５】
図１５は、拠点Ｂ内のアクセスポイントＡＰｊの送信電力に応じた電波範囲をあらわす電波範囲画像ｅの表示例を示す説明図である。図１５において、拠点地図画像ＢＭは、拠点Ｂ３の地図画像Ｐ３上に各アクセスポイントＡＰ２１〜ＡＰ２４をあらわすアイコンａｐ２１〜ａｐ２４を表示する地図画像である。
【０１２６】
ここでは、拠点地図画像ＢＭ上のアイコンａｐ２１〜ａｐ２４と対応付けて、電波範囲画像ｅ２１〜ｅ２４がそれぞれ表示されている。各電波範囲画像ｅ２１〜ｅ２４は、各アクセスポイントＡＰ２１〜ＡＰ２４の送信電力に応じた電波範囲をそれぞれあらわす。
【０１２７】
電波範囲画像ｅ２１〜ｅ２４によれば、ユーザは、各アクセスポイントＡＰ２１〜ＡＰ２４の送信電力に応じた電波範囲を直感的に把握することができる。これにより、ユーザは、拠点Ｂ３において無線ＬＡＮを利用した通信サービスを提供するにあたり、アクセスポイントＡＰｊの設置位置、送信電力、増設／撤去等の判断がしやすくなる。例えば、シームレスな通信サービスを提供するには、ユーザは、アクセスポイントＡＰ２１，ＡＰ２２の送信電力を高めたり、アクセスポイントを増設したりする必要があることを判断できる。
【０１２８】
なお、拠点地図画像ＢＭにおいて、ユーザの操作入力により、カーソルＣを移動させていずれかのアイコンａｐを選択すると、選択されたアイコンａｐがあらわすアクセスポイントＡＰｊの送信電力を仮想的に変更可能にしてもよい。この場合、情報処理装置１０１は、仮想的に変更した変更後の送信電力に応じて、選択されたアイコンａｐに対応する電波範囲画像ｅの大きさを更新することにしてもよい。これにより、ユーザは、アクセスポイントＡＰｊの送信電力を変更した場合に、アクセスポイントＡＰｊの電波範囲がどのように変化するのかを事前に確認することができる。
【０１２９】
（情報処理装置１０１の表示制御処理手順）
つぎに、図１６〜図１８を用いて、情報処理装置１０１の表示制御処理手順について説明する。
【０１３０】
図１６〜図１８は、情報処理装置１０１の表示制御処理手順の一例を示すフローチャートである。図１６のフローチャートにおいて、まず、情報処理装置１０１は、端末装置Ｔｉから地域Ｒの地図画像の表示要求を受け付けたか否かを判断する（ステップＳ１６０１）。なお、端末装置Ｔｉは、ユーザ名とパスワードを用いてログイン処理が実行され認証たとする。
【０１３１】
ここで、情報処理装置１０１は、地域Ｒの地図画像の表示要求を受け付けるのを待つ（ステップＳ１６０１：Ｎｏ）。そして、情報処理装置１０１は、地域Ｒの地図画像の表示要求を受け付けた場合（ステップＳ１６０１：Ｙｅｓ）、画像管理テーブル２２０を参照して、地域Ｒの地図画像を取得する（ステップＳ１６０２）。
【０１３２】
つぎに、情報処理装置１０１は、拠点管理テーブル２３０を参照して、地域Ｒの地図画像上での各拠点Ｂの位置を示す位置情報を特定する（ステップＳ１６０３）。そして、情報処理装置１０１は、特定した各拠点Ｂの位置を示す位置情報に基づいて、地域Ｒの地図画像上に各拠点Ｂをあらわすアイコンｂを表示する全体地図画像ＥＭを生成する（ステップＳ１６０４）。
【０１３３】
つぎに、情報処理装置１０１は、生成した全体地図画像ＥＭを端末装置Ｔｉに送信することにより、端末装置Ｔｉに全体地図画像ＥＭを表示する（ステップＳ１６０５）。これにより、端末装置Ｔｉのディスプレイ４０５に、地域Ｒの地図画像上に各拠点Ｂをあらわすアイコンｂが表示された全体地図画像ＥＭを表示することができる。
【０１３４】
つぎに、情報処理装置１０１は、端末装置Ｔｉに表示した全体地図画像ＥＭ上のいずれかのアイコンｂがマウスオーバーされたか否かを判断する（ステップＳ１６０６）。ここで、アイコンｂがマウスオーバーされていない場合（ステップＳ１６０６：Ｎｏ）、情報処理装置１０１は、ステップＳ１６０９に移行する。
【０１３５】
一方、アイコンｂがマウスオーバーされた場合（ステップＳ１６０６：Ｙｅｓ）、情報処理装置１０１は、接続状況管理テーブル２５０を参照して、アイコンｂがあらわす拠点Ｂ内のアクセスポイントＡＰｊの接続状況情報を特定する（ステップＳ１６０７）。そして、情報処理装置１０１は、特定した接続状況情報を端末装置Ｔｉに送信することにより、全体地図画像ＥＭ上のアイコンｂと対応付けて、拠点Ｂの接続状況情報をポップアップ表示させる（ステップＳ１６０８）。
【０１３６】
これにより、端末装置Ｔｉのディスプレイ４０５に、全体地図画像ＥＭ上の拠点Ｂをあらわすアイコンｂと対応付けて、拠点Ｂ内のアクセスポイントＡＰｊの接続状況を示す情報をポップアップ表示することができる。
【０１３７】
つぎに、情報処理装置１０１は、端末装置Ｔｉに表示した全体地図画像ＥＭ上のいずれかのアイコンｂが選択されたか否かを判断する（ステップＳ１６０９）。ここで、アイコンｂが選択されていない場合（ステップＳ１６０９：Ｎｏ）、情報処理装置１０１は、端末Ｔｉがログアウトしたか否かを判断する（ステップＳ１６１０）。
【０１３８】
ここで、端末装置Ｔｉがログアウトしていない場合（ステップＳ１６１０：Ｎｏ）、情報処理装置１０１は、ステップＳ１６０６に戻る。一方、端末装置Ｔｉがログアウトした場合（ステップＳ１６１０：Ｙｅｓ）、情報処理装置１０１は、本フローチャートによる一連の処理を終了する。
【０１３９】
また、ステップＳ１６０９において、アイコンｂが選択された場合（ステップＳ１６０９：Ｙｅｓ）、情報処理装置１０１は、図１７に示すステップＳ１７０１に移行する。
【０１４０】
図１７のフローチャートにおいて、まず、情報処理装置１０１は、画像管理テーブル２２０を参照して、選択されたアイコンｂがあらわす拠点Ｂの地図画像を取得する（ステップＳ１７０１）。つぎに、情報処理装置１０１は、装置管理テーブル２４０から、拠点Ｂ内の全アクセスポイントの装置管理情報を取得する（ステップＳ１７０２）。
【０１４１】
そして、情報処理装置１０１は、取得した装置管理情報を参照して、拠点Ｂの地図画像上での各アクセスポイントＡＰｊの設置位置を示す位置情報を特定する（ステップＳ１７０３）。そして、情報処理装置１０１は、特定した各アクセスポイントＡＰｊの設置位置を示す位置情報に基づいて、拠点Ｂの地図画像上に各アクセスポイントＡＰｊをあらわすアイコンａｐを表示する拠点地図画像ＢＭを生成する（ステップＳ１７０４）。
【０１４２】
つぎに、情報処理装置１０１は、生成した拠点地図画像ＢＭを端末装置Ｔｉに送信することにより、端末装置Ｔｉに拠点地図画像ＢＭを表示する（ステップＳ１７０５）。これにより、端末装置Ｔｉのディスプレイ４０５に、拠点Ｂの地図画像上に各アクセスポイントＡＰｊをあらわすアイコンａｐが表示された拠点地図画像ＢＭを表示することができる。
【０１４３】
つぎに、情報処理装置１０１は、端末装置Ｔｉに表示した拠点地図画像ＢＭ上のいずれかのアイコンａｐがマウスオーバーされたか否かを判断する（ステップＳ１７０６）。ここで、アイコンａｐがマウスオーバーされていない場合（ステップＳ１７０６：Ｎｏ）、情報処理装置１０１は、ステップＳ１７０９に移行する。
【０１４４】
一方、アイコンａｐがマウスオーバーされた場合（ステップＳ１７０６：Ｙｅｓ）、情報処理装置１０１は、接続状況管理テーブル２５０を参照して、アイコンａｐがあらわすアクセスポイントＡＰｊの接続状況情報を特定する（ステップＳ１７０７）。そして、情報処理装置１０１は、特定した接続状況情報を端末装置Ｔｉに送信することにより、拠点地図画像ＢＭ上のアイコンａｐと対応付けて、アクセスポイントＡＰｊの接続状況情報をポップアップ表示させる（ステップＳ１７０８）。
【０１４５】
これにより、端末装置Ｔｉのディスプレイ４０５に、拠点Ｂの地図画像上に表示されたアクセスポイントＡＰｊをあらわすアイコンａｐと対応付けて、アクセスポイントＡＰｊの接続状況を示す情報をポップアップ表示することができる。
【０１４６】
つぎに、情報処理装置１０１は、拠点Ｂ内のアクセスポイントＡＰｊの接続状況に関する統計情報の表示要求を受け付けたか否かを判断する（ステップＳ１７０９）。ここで、統計情報の表示要求を受け付けていない場合（ステップＳ１７０９：Ｎｏ）、情報処理装置１０１は、端末Ｔｉがログアウトしたか否かを判断する（ステップＳ１７１０）。
【０１４７】
ここで、端末装置Ｔｉがログアウトしていない場合（ステップＳ１７１０：Ｎｏ）、情報処理装置１０１は、ステップＳ１７０６に戻る。一方、端末装置Ｔｉがログアウトした場合（ステップＳ１７１０：Ｙｅｓ）、情報処理装置１０１は、本フローチャートによる一連の処理を終了する。
【０１４８】
また、ステップＳ１７０９において、統計情報の表示要求を受け付けた場合（ステップＳ１７０９：Ｙｅｓ）、情報処理装置１０１は、図１８に示すステップＳ１８０１に移行する。
【０１４９】
図１８のフローチャートにおいて、まず、情報処理装置１０１は、接続状況管理テーブル２５０から、拠点Ｂの接続状況管理情報を取得する（ステップＳ１８０１）。そして、情報処理装置１０１は、取得した接続状況管理情報を端末装置Ｔｉに送信することにより、拠点Ｂ内のアクセスポイントＡＰｊの接続状況の時系列変化を示す情報を、グラフ形式または表形式で表示させる（ステップＳ１８０２）。
【０１５０】
つぎに、情報処理装置１０１は、端末Ｔｉがログアウトしたか否かを判断する（ステップＳ１８０３）。ここで、情報処理装置１０１は、端末装置Ｔｉがログアウトするのを待つ（ステップＳ１８０３：Ｎｏ）。そして、端末装置Ｔｉがログアウトした場合（ステップＳ１８０３：Ｙｅｓ）、情報処理装置１０１は、本フローチャートによる一連の処理を終了する。
【０１５１】
これにより、端末装置Ｔｉのディスプレイ４０５に、拠点Ｂ内のアクセスポイントＡＰｊの接続状況の時系列変化を示す情報を、グラフ形式または表形式で表示させることができる。
【０１５２】
以上説明したように、実施の形態にかかる情報処理装置１０１によれば、画像管理テーブル２２０および拠点管理テーブル２３０を参照して、地域Ｒの地図画像上に各拠点Ｂをあらわすアイコンｂを表示する制御を行うことができる。
【０１５３】
これにより、ユーザは、地域Ｒ内の拠点Ｂの位置を直感的に把握することができる。また、地域Ｒの地図画像上に、アクセスポイントＡＰｊをあらわすアイコンａｐは表示されないため、管理対象となるアクセスポイントの数が多くなっても、地図画像上の表示が煩雑なものとなることを防ぐことができる。
【０１５４】
また、情報処理装置１０１によれば、地域Ｒの地図画像上に表示したいずれかのアイコンｂがマウスオーバーされたことに応じて、接続状況管理テーブル２５０を参照して、当該アイコンｂがあらわす拠点Ｂ内のアクセスポイントＡＰｊの接続状況を特定することができる。そして、情報処理装置１０１によれば、地域Ｒの地図画像上の当該アイコンｂと対応付けて、特定した拠点Ｂ内のアクセスポイントＡＰｊの接続状況をポップアップ表示することができる。
【０１５５】
これにより、ユーザは、地域Ｒの地図画像のアイコンｂをマウスオーバーするという簡単な操作によって、当該アイコンｂがあらわす拠点Ｂ内のアクセスポイントＡＰｊの接続状況（例えば、拠点単位のＳＳＩＤごとの接続人数）を確認することができる。
【０１５６】
また、情報処理装置１０１によれば、地域Ｒの地図画像上に表示したいずれかのアイコンｂが選択されたことに応じて、画像管理テーブル２２０を参照して、選択されたアイコンｂがあらわす拠点Ｂの地図画像を取得することができる。そして、情報処理装置１０１によれば、装置管理テーブル２４０を参照して、拠点Ｂの地図画像上に各アクセスポイントＡＰｊをあらわすアイコンａｐを表示する制御を行うことができる。
【０１５７】
これにより、ユーザは、地域Ｒ内の任意の拠点Ｂをピックアップして、その拠点Ｂ内の各アクセスポイントＡＰｊの設置位置を直感的に把握することができる。また、ユーザは、地域Ｒの地図画像のアイコンｂを選択するという簡単な操作によって、地域Ｒ（広域）から拠点Ｂ（狭域）に地図表示を切り替えることができる。
【０１５８】
また、情報処理装置１０１によれば、拠点Ｂの地図画像上に表示したいずれかのアイコンａｐがマウスオーバーされたことに応じて、接続状況管理テーブル２５０を参照して、当該アイコンａｐがあらわすアクセスポイントＡＰｊの接続状況を特定することができる。そして、情報処理装置１０１によれば、拠点Ｂの地図画像上の当該アイコンａｐと対応付けて、特定したアクセスポイントＡＰｊの接続状況をポップアップ表示することができる。
【０１５９】
これにより、ユーザは、拠点Ｂの地図画像のアイコンａｐをマウスオーバーするという簡単な操作によって、当該アイコンａｐがあらわすアクセスポイントＡＰｊの接続状況（例えば、装置単位のＳＳＩＤごとの接続人数）を確認することができる。
【０１６０】
また、情報処理装置１０１によれば、拠点Ｂ内のアクセスポイントＡＰｊの接続状況に関する統計情報の表示要求を受け付けることができる。そして、情報処理装置１０１によれば、統計情報の表示要求を受け付けたことに応じて、接続状況管理テーブル２５０を参照して、拠点Ｂ内のアクセスポイントＡＰｊの接続状況の時系列変化を示す情報をグラフ形式または表形式で表示する制御を行うことができる。
【０１６１】
これにより、ユーザは、拠点Ｂ内のアクセスポイントＡＰｊの接続状況の時系列変化を、例えば、拠点単位あるいは装置単位（アクセスポイント単位）で把握可能となり、拠点Ｂにおける接続人数の変動傾向等を分析することができる。
【０１６２】
また、情報処理装置１０１によれば、電波範囲テーブル２６０を参照して、拠点Ｂの地図画像上に表示したアイコンａｐと対応付けて、当該アイコンａｐがあらわすアクセスポイントＡＰｊの送信電力に応じた電波範囲をあらわす電波範囲画像ｅをさらに表示することができる。
【０１６３】
これにより、ユーザは、拠点Ｂ内の各アクセスポイントＡＰｊの送信電力に応じた電波範囲を直感的に把握することが可能となり、アクセスポイントＡＰｊの設置位置、送信電力、増設／撤去等の判断がしやすくなる。例えば、拠点Ｂにおける通信サービスの品質を維持するには、アクセスポイントＡＰｊを拠点Ｂ内のどこに設置して、どのような送信電力を設定すればよいのかといったことを判断しやすくなる。
【０１６４】
これらのことから、情報処理装置１０１によれば、地域Ｒ内の各拠点Ｂに設置されるアクセスポイントＡＰｊの設置状況や接続状況等を把握しやすくさせて、アクセスポイントＡＰｊの管理の容易化を図ることができる。例えば、地域Ｒ内の各拠点Ｂが、教育委員会が管轄する各学校である場合、教育委員会のシステム管理者は、各学校におけるアクセスポイントＡＰｊの設置状況や接続状況等を容易に把握することが可能となり、無線ＬＡＮの構築や最適化を行いやすくなる。
【０１６５】
なお、本実施の形態で説明した表示制御方法は、予め用意されたプログラムをパーソナル・コンピュータやワークステーション等のコンピュータで実行することにより実現することができる。本表示制御プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録され、コンピュータによって記録媒体から読み出されることによって実行される。また、本表示制御プログラムは、インターネット等のネットワークを介して配布してもよい。
【０１６６】
上述した実施の形態に関し、さらに以下の付記を開示する。
【０１６７】
（付記１）第１の地図情報と対応付けて、拠点の位置を示す位置情報を記憶する第１の記憶部を参照して、前記第１の地図情報上に前記拠点をあらわす第１の画像を表示し、
前記第１の地図情報上に表示したいずれかの第１の画像が選択されたことに応じて、選択された第１の画像に対応する拠点を特定し、
前記拠点と対応付けて、第２の地図情報と、前記拠点内のアクセスポイントの設置位置を示す位置情報とを記憶する第２の記憶部を参照して、特定された前記拠点に対応する第２の地図情報を取得し、
前記第２の記憶部を参照して、取得した前記第２の地図情報上に前記アクセスポイントをあらわす第２の画像を表示する、
処理をコンピュータに実行させることを特徴とする表示制御プログラム。
【０１６８】
（付記２）前記コンピュータに、
前記第２の地図情報上に表示したいずれかの第２の画像に対する所定の操作を検出したことに応じて、前記拠点と対応付けて、前記拠点内のアクセスポイントの接続状況を示す情報を記憶する第３の記憶部を参照して、前記第２の画像があらわすアクセスポイントの接続状況を表示する、処理を実行させることを特徴とする付記１に記載の表示制御プログラム。
【０１６９】
（付記３）前記コンピュータに、
前記第１の地図情報上に表示したいずれかの第１の画像に対する所定の操作を検出したことに応じて、前記拠点と対応付けて、前記拠点内のアクセスポイントの接続状況を示す情報を記憶する第３の記憶部を参照して、前記第１の画像があらわす拠点内のアクセスポイントの接続状況を表示する、処理を実行させることを特徴とする付記１または２に記載の表示制御プログラム。
【０１７０】
（付記４）前記第３の記憶部は、前記拠点と対応付けて、前記拠点内のアクセスポイントの接続状況の時系列変化を示す情報を記憶しており、
前記コンピュータに、
前記拠点内のアクセスポイントの接続状況に関する統計情報の表示要求を受け付けたことに応じて、前記第３の記憶部を参照して、前記拠点内のアクセスポイントの接続状況の時系列変化を示す情報をグラフ形式または表形式で表示する、処理を実行させることを特徴とする付記２または３に記載の表示制御プログラム。
【０１７１】
（付記５）前記第２の画像を表示する処理は、
アクセスポイントの送信電力と電波到達距離とを対応付けて記憶する第４の記憶部を参照して、前記第２の地図情報上に表示した前記アクセスポイントをあらわす第２の画像と対応付けて、前記アクセスポイントの送信電力に応じた電波範囲をあらわす第３の画像をさらに表示する、ことを特徴とする付記１〜４のいずれか一つに記載の表示制御プログラム。
【０１７２】
（付記６）前記第１の地図情報は、前記第１の記憶部に記憶される拠点の位置を含む地図情報であり、
前記第２の地図情報は、前記第２の記憶部で該地図情報に対応付けられるアクセスポイントの位置を含む地図情報である、ことを特徴とする付記１〜５のいずれか一つに記載の表示制御プログラム。
【０１７３】
（付記７）前記拠点内のアクセスポイントの接続状況の時系列変化を示す情報は、前記拠点単位または前記拠点内のアクセスポイント単位の情報である、ことを特徴とする付記４に記載の表示制御プログラム。
【０１７４】
（付記８）第１の地図情報と対応付けて、拠点の位置を示す位置情報を記憶する第１の記憶部を参照して、前記第１の地図情報上に前記拠点をあらわす第１の画像を表示し、
前記第１地図情報上に表示したいずれかの第１の画像が選択されたことに応じて、選択された第１の画像に対応する拠点を特定し、前記拠点と対応付けて、第２の地図情報と、前記拠点内のアクセスポイントの設置位置を示す位置情報とを記憶する第２の記憶部を参照して、特定された前記拠点に対応する第２の地図情報を取得し、
前記第２の記憶部を参照して、取得した前記第２の地図情報上に前記アクセスポイントをあらわす第２の画像を表示する、
処理をコンピュータが実行することを特徴とする表示制御方法。
【０１７５】
（付記９）第１の地図情報と対応付けて、拠点の位置を示す位置情報を記憶する第１の記憶部と、
拠点と対応付けて、第２の地図情報と、前記拠点内のアクセスポイントの設置位置を示す位置情報とを記憶する第２の記憶部と、
前記第１の記憶部を参照して、前記第１の地図情報上に前記拠点をあらわす第１の画像を表示し、前記第１の地図情報上に表示したいずれかの第１の画像が選択されたことに応じて、選択された第１の画像に対応する拠点を特定し、前記第２の記憶部を参照して、特定された前記拠点に対応する第２の地図情報を取得し、前記第２の記憶部を参照して、取得した前記第２の地図情報上に前記アクセスポイントをあらわす第２の画像を表示する制御部と、
を有することを特徴とする情報処理装置。
【符号の説明】
【０１７６】
１０１  情報処理装置
１１０  第１の記憶部
１２０  第２の記憶部
１３０  表示画面
１４０，１５０  地図情報
１４１，１４２，１４３  第１の画像
１５１，１５２，１５３，１５４，１５５  第２の画像
２００  通信システム
２１０  ネットワーク
２２０  画像管理テーブル
２３０  拠点管理テーブル
２４０  装置管理テーブル
２５０  接続状況管理テーブル
２６０  電波範囲テーブル
３００，４００  バス
３０１，４０１  ＣＰＵ
３０２，４０２  メモリ
３０３  Ｉ／Ｆ
３０４  ディスクドライブ
３０５  ディスク
４０３  公衆網Ｉ／Ｆ
４０４  ＷＬＡＮ  Ｉ／Ｆ
４０５  ディスプレイ
４０６  入力装置
１００１  受付部
１００２  表示制御部
１００３  計測部
１００４  検出部
１１００，１２００  接続状況情報
１２１０  拠点一覧
１３０１，１３０２，１３０３  グラフ
１４００  表
ＡＰ１〜ＡＰｎ，ＡＰｊ  アクセスポイント
Ｔ１〜Ｔｎ，Ｔｉ  端末装置
【図１】
2019009655.tif 000003
【図２】
2019009655.tif 000004
【図３】
2019009655.tif 000005
【図４】
2019009655.tif 000006
【図５】
2019009655.tif 000007
【図６】
2019009655.tif 000008
【図７】
2019009655.tif 000009
【図８】
2019009655.tif 000010
【図９】
2019009655.tif 000011
【図１０】
2019009655.tif 000012
【図１１】
2019009655.tif 000013
【図１２】
2019009655.tif 000014
【図１３】
2019009655.tif 000015
【図１４】
2019009655.tif 000016
【図１５】
2019009655.tif 000017
【図１６】
2019009655.tif 000018
【図１７】
2019009655.tif 000019
【図１８】
2019009655.tif 000020